(57)【要約】【課題】  種々のチャネルで横断的に利用することができる携帯型記憶装置を使用する振込システムを提供する。【解決手段】  本発明は、振込先に関するデータと、そのデータの区分を示すデータとをＵＳＢメモリなどの携帯型記憶装置に格納し、ユーザが当該区分を指定することにより、指定された区分に従って、ＵＳＢメモリから振込先に関するデータを呼び出し、振込先に対して振込処理を行なう振込システムである。【選択図】      図６
2005275928.tif 000002
【特許請求の範囲】
【請求項１】
複数の振込先を示す振込先データと、前記振込先データを分類するための区分データとを関連付けて記憶する携帯型記憶装置から、前記振込先データ及び区分データを読み出す手段と、
振込先を示す振込先データを読み出すための区分を受け付ける手段と、
前記受け付けられた区分における振込先データによって示される振込先を提示する手段と、
前記提示された振込先のうち、選択された振込先を受け付ける手段と、
前記選択された振込先に対する振込金額を受け付ける手段と、
前記受け付けられた振込先の振込先データ及び振込金額の振込金額データを使用して振込を実行する手段と
を具備することを特徴とする振込システム。
【請求項２】
前記振込先データは、振込先の金融機関名、支店名、口座種別、口座番号及び口座名義を示すデータを含むことを特徴とする請求項１記載の振込システム。
【請求項３】
前記携帯型記憶装置に記憶された振込先を利用して振込を行なうか否かの選択を受け付ける手段と、
前記携帯型記憶装置に記憶された振込先を利用して振込を行なわないことの選択が受け付けられた場合に、振込先及び振込金額を受け付ける手段と、
前記受け付けられた振込先を示す振込先データを前記携帯型記憶装置に記憶させる手段と、
前記振込を行なわないことの選択が受け付けられた場合に、受け付けられた振込先及び振込金額を使用して振込を実行する手段と
をさらに具備することを特徴とする請求項１記載の振込システム。
【請求項４】
前記携帯型記憶装置は、ＵＳＢメモリであることを特徴とする請求項１記載の振込システム。
【請求項５】
前記振込先データによって示される振込先への振込金額の総額を示す振込総額金額データを算出する手段と、
前記算出された振込総額金額データを、振込先データに関連付けて前記携帯型記憶装置に記憶させる手段と
をさらに具備することを特徴とする請求項１記載の振込システム。
【請求項６】
複数の振込先を示す振込先データと、前記振込先データを分類するための区分データとを関連付けて記憶する携帯型記憶装置から、前記振込先データ及び区分データを読み出し、
振込先を示す振込先データを読み出すための区分を受け付け、
前記受け付けられた区分における振込先データによって示される振込先を提示し、
前記提示された振込先のうち、選択された振込先を受け付け、
前記選択された振込先に対する振込金額を受け付け、
前記受け付けられた振込先の振込先データ及び振込金額の振込金額データを使用して振込を実行することを特徴とする振込システムにおける振込方法。
【請求項７】
前記携帯型記憶装置に記憶された振込先を利用して振込を行なうか否かの選択を受け付け、
前記携帯型記憶装置に記憶された振込先を利用して振込を行なわないことの選択が受け付けられた場合に、振込先及び振込金額を受け付け、
前記受け付けられた振込先を示す振込先データ及び振込金額を示す振込金額データを前記携帯型記憶装置に記憶させ、
前記受け付けられた振込先を示す振込先データ及び振込金額を示す振込金額データを利用して振込を実行するステップをさらに具備することを特徴とする請求項６記載の振込方法。
【請求項８】
前記振込先データによって示される振込先への振込金額の総額を示す振込総額金額データを算出し、
前記算出された振込総額金額データを、振込先データに関連付けて前記携帯型記憶装置に記憶させるステップをさらに具備することを特徴とする請求項７記載の振込方法。
【発明の詳細な説明】
【技術分野】
【０００１】
本発明は、携帯型記憶装置に記録された振込データを使用して振込処理を行なう振込システムに関する。
【背景技術】
【０００２】
従来より、顧客がＡＴＭ(Automatic Teller Machine)で指定した振込先のデータをＭＳ（マグネティックストライプ）に書き込んだ紙製のカードを印刷発行し、それを顧客が次回使用時にＡＴＭや自動振込機に挿入して読み込ませることにより、送金先データを毎回入力することなく送金先を指定することが可能になる「振込カード」、「振込専用通帳」については広く知られている。
【発明の開示】
【発明が解決しようとする課題】
【０００３】
このような振込カードはＡＴＭなどの特定の機種のみでしか利用することができない。しかしながら、ネットワーク技術の発達した今日においては、パーソナルコンピュータを利用したインターネットバンキングシステム、携帯電話を利用したモバイルバンキングといったシステムが存在し、種々のチャネルで横断的に利用することができる振込カード的なものが顧客によって望まれている。
【０００４】
また、従来の振込カードは振込先に関するデータ（金融機関名、支店名、口座種別、口座番号、口座名義など）が記録され、当該データが提示されるのみで、振込先が多くなった場合に、全ての振込先がそのまま表示されてしまうので振込先の選択に間違いが生ずる可能性が増大してしまう。
【０００５】
本発明は、上記実情に鑑みてなされたものであり、種々のチャネルで横断的に利用することができ、かつ振込先を区分化することにより振込先の選択を容易にすることができる携帯型記憶装置を使用する振込システムを提供することを目的とする。
【課題を解決するための手段】
【０００６】
上記目的を達成するために、本発明の第１の発明によれば、複数の振込先を示す振込先データと、前記振込先データを分類するための区分データとを関連付けて記憶する携帯型記憶装置から、前記振込先データ及び区分データを読み出す手段と、振込先を示す振込先データを読み出すための区分を受け付ける手段と、前記受け付けられた区分における振込先データによって示される振込先を提示する手段と、前記提示された振込先のうち、選択された振込先を受け付ける手段と、前記選択された振込先に対する振込金額を受け付ける手段と、前記受け付けられた振込先の振込先データ及び振込金額の振込金額データを使用して振込を実行する手段とを具備することを特徴とする振込システム、である。
【０００７】
また、本発明の第２の発明によれば、第１の発明において、前記携帯型記憶装置に記憶された振込先を利用して振込を行なうか否かの選択を受け付ける手段と、前記携帯型記憶装置に記憶された振込先を利用して振込を行なわないことの選択が受け付けられた場合に、振込先及び振込金額を受け付ける手段と、前記受け付けられた振込先を示す振込先データを前記携帯型記憶装置に記憶させる手段と、前記受け付けられた振込先データ及び振込金額データを利用して振込を実行する手段とをさらに具備することを特徴とする振込システム、である。
【０００８】
さらに、本発明の第３の発明によれば、第１の発明において、前記振込先データによって示される振込先への振込金額の総額を示す振込総額金額データを算出する手段と、前記算出された振込総額金額データを、振込先データに関連付けて前記携帯型記憶装置に記憶させる手段とをさらに具備することを特徴とする振込システム、である。
【０００９】
さらに、本発明の第４の発明によれば、複数の振込先を示す振込先データと、前記振込先データを分類するための区分データとを関連付けて記憶する携帯型記憶装置から、前記振込先データ及び区分データを読み出し、振込先を示す振込先データを読み出すための区分を受け付け、前記受け付けられた区分における振込先データによって示される振込先を提示し、前記提示された振込先のうち、選択された振込先を受け付け、前記選択された振込先に対する振込金額を受け付け、前記受け付けられた振込先の振込先データ及び振込金額の振込金額データを使用して振込を実行することを特徴とする振込システムにおける振込方法、である。
【発明の効果】
【００１０】
種々のチャネルで横断的に利用することができ、かつ振込先を区分化することにより振込先の選択を容易にすることができる携帯型記憶装置を使用する振込システムを提供できる。
【発明を実施するための最良の形態】
【００１１】
以下、図面を参照して、本発明の実施の形態に係る振込システムについて説明する。
【００１２】
図１は、本発明の実施の形態に係る振込システムを説明するための図である。
【００１３】
同図に示すように、インターネット１には金融機関のホストコンピュータ２、ＡＴＭ３及びコンピュータ４が接続されている。金融機関のホストコンピュータ２は、インターネットバンキングなどのサービスを提供するコンピュータである。ＡＴＭ３は、インターネット１に接続されて、金融機関のホストコンピュータ２と通信を行なうことによりＡＴＭ処理を実現するものである。コンピュータ４は、本発明の実施の形態に係る振込処理を実行するものである。
【００１４】
図２は、本発明の実施の形態に係る振込システムを実現するコンピュータの説明をするための図である。
【００１５】
同図に示すように、バス１１にはＣＰＵ１２、メモリ１３、表示部１４、ＵＳＢ端子１５、通信部１７、入力部１８及びＨＤＤ(Hard Disc Drive)１９が接続されている。
【００１６】
ＣＰＵ１２は、ＨＤＤ１９に格納された振込処理プログラム２０を実行することにより、本発明の実施の形態に係る振込処理を行なうものである。
【００１７】
メモリ１３は、振込処理プログラム２０を実行する際に必要とされるワークエリアなどに使用される他、振込処理を実行する際に必要とされるデータなどを格納する。
【００１８】
表示部１４は、ＬＣＤなどのディスプレイであり、振込処理プログラム２０を実行する際に必要とされる画面を表示する。ＵＳＢ端子１５は、ＵＳＢメモリ１６を接続するためのインターフェイスである。
【００１９】
通信部１７は、インターネット１を介して他の装置との通信を司るものであり、金融機関のホストコンピュータ２によって提供されるインターネットバンキングシステムとの通信を行なう。
【００２０】
入力部１８は、キーボードなどの入力インターフェイスであり、振込処理において利用されるパスワード、振込金額などを入力するものである。ＨＤＤ１９は、本発明の実施の形態に係る振込処理を実現する振込処理プログラム２０などを格納する。この振込処理プログラム２０は、ＵＳＢメモリ１６に格納された振込用データを利用することにより振込処理を実現する。
【００２１】
なお、本実施の形態においては、振込処理プログラム２０はＨＤＤ１９に格納されている場合について示しているが、振込処理プログラム２０はＪＡＶＡアプレットのように、インターネットからダウンロードされ、メモリ１３上で動作するものであってもよい。
【００２２】
図３は、振込用データのデータ構造を示す図である。
【００２３】
同図に示すように、振込用データは、振込先データ３１、区分データ３２、総振込金額データ３３及び振込確認データ３４を具備している。区分データ３２、総振込金額データ３３及び振込確認データ３４は、振込先データ３１に関連付けられて記録される。なお、図３には示していないが、個々の振込に関する振込金額を示すデータを振込先毎に記録してもよい。
【００２４】
振込先データ３１は、振込先を特定するためのデータであって、図４に示すように、ＩＤ、振込先の金融機関名、支店名、口座種別（普通／当座／通知）、口座番号、口座名義などのデータを有する。
【００２５】
振込先データ３１は、例えば、
「００１、東京○○銀行、丸の内、普通、１０○○○○、東京太郎」
「００２、△△△銀行、新宿、当座、２１○○○○、大阪花子」
「００３、□□銀行、本店、通知、４１○○○○、本店太郎」
のようにＵＳＢメモリ１６に格納される。
【００２６】
区分データ３２は、振込先データ３１を分類するための区分を示すデータであって、例えば、図５に示すように、業務用、私用などの区分である。
【００２７】
総振込金額データ３３は、振込先データ３１によって示される振込先に振り込まれた総振込金額を示す。振込確認データ３４は、振込先データ３１によって示される振込先に行なわれた振込が行なわれたか否かを示すデータである。
【００２８】
次に、本発明の実施の形態に係る振込システムの動作について、図６及び図７を参照して説明する。
【００２９】
まず、最初に、ＩＤ，パスワードなどを入力することにより振込システムにログインを行なう（Ｓ１）。Ｓ１においてログイン後、メニュー画面において、振込を選択する（Ｓ２）。
【００３０】
振込を選択後、図８に示すように、ＵＳＢメモリ１６に記録された振込先を利用するか、或いは振込先を指定するかを選択する画面が表示され、ＵＳＢメモリ１６に記録された振込先を利用するかの指示が、項目４１或いは項目４２がユーザによって選択されることにより受け付けられる。
【００３１】
Ｓ３においては、ＵＳＢメモリ１６の登録先を利用するか否かの判断が行なわれる。図８に示した画面において、項目４１がユーザによって選択された場合には、ＵＳＢメモリ１６の登録先を利用するものと判断され、項目４２がユーザによって選択された場合には、ＵＳＢメモリ１６の登録先を利用せず、直接振込先のデータを入力するものと判断される。
【００３２】
ＵＳＢメモリ１６に記録された振込先を利用すると判断された場合には、ＵＳＢ端子１５に接続されたＵＳＢメモリ１６との接続を行ない（Ｓ４）、ＵＳＢメモリ１６に格納された振込用データの区分データ３２を参照して、図９に示すような区分を選択するための画面が表示され（Ｓ５）、業務用の区分における振込先を利用するのか、私用の区分における振込先を利用するのかの指示が、ユーザが項目５１或いは項目５２を選択することにより受け付けられる。
【００３３】
次に、Ｓ６において区分の選択が行なわれる。図９に示した画面において、項目５１がユーザによって選択された場合には、区分が業務用の振込先データを使用するものと判断され、項目５２がユーザによって選択された場合には、区分が私用の振込先データを使用するものと判断される。
【００３４】
Ｓ６において区分の選択が行なわれると、選択された区分における振込先データ３１及び総振込金額データ３３が図１０に示すように表示される（Ｓ７）。図１０においては、表示された登録先振込先を番号を入力することにより選択するものとする。なお、図１０において、総振込金額データ３３のみを表示する場合について説明したが、さらに振込確認データ３４を表示してもよい。
【００３５】
振込先の選択指示をユーザから受け付けると（Ｓ８）、次に、図１１に示すような画面において、振込金額の入力を受け付ける（Ｓ１０）。一方、Ｓ３において、ＵＳＢメモリ１６の登録先を利用しないと判断された場合には、振込先データの入力を受け付け（Ｓ９）、Ｓ１０の処理に移る。ここで、振込先データとは、ＩＤ、区分の種別、振込先の金融機関名、支店名、口座種別（普通／当座／通知）、口座番号、口座名義などの振込先を特定するためのデータである。
【００３６】
次に、新たに入力された振込先データをＵＳＢメモリ１６へ登録するか否かが判断される。この判断は、図１２に示すように、ユーザからＵＳＢメモリ１６へ登録するか否かを選択するための画面を表示し、ユーザからの指示を受け付けることにより判断される。図１２に示す画面においては、項目６１が選択されるとＵＳＢメモリ１６へ入力された送金先データを登録すると判断され、項目６２が選択されるとＵＳＢメモリ１６へは入力された送金先データを登録しないと判断される。Ｓ１１においてＵＳＢメモリ１６へ登録しないと判断された場合には、入力され、或いは選択された振込先のデータを使用して振込の実行が行なわれる（Ｓ１２）。
【００３７】
一方、Ｓ１１においてＵＳＢメモリ１６へ登録すると判断された場合には、登録された振込先のデータをＵＳＢメモリ１６へ登録し（Ｓ１３）、入力され、或いは選択された振込先のデータを使用して振込の実行が行なわれる（Ｓ１４）。
【００３８】
なお、本実施の形態においては、振込実行前にＵＳＢメモリへ登録するか否かの判断を行なっているが、振込実行後にＵＳＢメモリへ登録するか否かの選択を行なってもよい。
【００３９】
次に、振込が完了したか否かの判断が行なわれる（Ｓ１５）。この判断は、振込処理を行なう金融機関のホストコンピュータ２にコンピュータ４から問い合わせを行なうことにより行なわれる。この問い合わせは、コンピュータ２から実行した振込処理のＩＤを使用して、金融機関のホストコンピュータ２に問い合わせ、金融機関のホストコンピュータ２はコンピュータ４から送信された振込処理のＩＤを使用して該当する振込処理が完了したか否かを把握し、その振込処理の結果をコンピュータ４に通知することにより行なわれる。
【００４０】
ホストコンピュータ２における振込の確認は、振込先の他の金融機関から所定の期間（例えば、２〜３日）振込内容確認が通知されない場合には振込が完了していると判断され、通知がされた場合には振込が完了していないと判断される。したがって、Ｓ１５における振込完了の確認は、Ｓ１４において実行された振込日と同日に行なわれるのではなく、過去に実行された振込に関して行なわれることになる。
【００４１】
Ｓ１５において、金融機関のホストコンピュータ２から振込の完了が通知されている場合には、ＵＳＢメモリ１６から振込処理を行なった振込先に対応する総振込金額データ３３を呼び出し、当該呼び出された総振込金額データ３３によって示される総振込金額に、今回完了した振込処理において振り込まれた振込の金額を加算して新たな総振込金額とし（Ｓ１６）、この算出された新たな総振込金額をＵＳＢメモリ１６の振込処理を行なった振込先に対応する総振込金額データ３３に登録するとともに、振込確認データ３４に振込が完了したことを示すデータを登録する（Ｓ１７）。
【００４２】
Ｓ１７においてＵＳＢメモリ１６へ総振込金額データなどが登録された後、或いはＳ１５に振込が完了していないと判断された場合には、次に、修正指示があるか否かの判断が行なわれる（Ｓ１８）。この判断は、修正指示があるか否かを選択するための画面を表示し、ユーザからの修正指示を振込先毎に受け付けることにより行なわれる。この修正指示は、例えば、登録された振込先のＵＳＢメモリ１６からの削除や内容の修正である。
【００４３】
Ｓ１８において修正指示があると判断された場合には、指示された振込先の振込先データ３１を削除或いは修正する修正処理を行ない（Ｓ１９）、Ｓ１に処理に戻る。一方、Ｓ１８において、修正指示がないと判断された場合にもＳ１の処理に戻る。
【００４４】
なお、上述の実施の形態においては、コンピュータ４によって本発明の実施の形態に係る振込処理を実現する場合について説明したが、これに限られるものではない。ＵＳＢ端子を具備し、振込処理プログラムを実現する環境の装置であれば、ＡＴＭ、ＰＤＡ(Personal Digital Assistant)、携帯電話などであってもよい。
【００４５】
また、本実施の形態においては、ユーザが入力した振込先のデータをＵＳＢメモリ１６に登録する場合について説明したが、金融機関のホストコンピュータ２からコンピュータ４に過去の振込先データを含む振込履歴データを取得し、この取得した振込履歴データに含まれる振込先データをＵＳＢメモリ１６に登録してもよい。
【００４６】
さらに、本発明の実施の形態においては、ＵＳＢメモリキー１６について説明したが、これに限られるものではなく、ＩＣカード、ＳＲＡＭ、ＰＣカード、コンパクトフラッシュメモリなどの携帯型記憶装置であってもよい。
【００４７】
さらに、本発明の実施の形態においては、ＡＴＭ３はインターネット１に接続されるものについて説明したが、ＡＴＭ３は専用ＬＡＮを介して金融機関のホストコンピュータ２に接続されているものであってもよく、当該ＡＴＭ３において本発明の実施の形態に係る振込処理を実現してもよい。
【００４８】
したがって、本発明の実施の形態に係る振込システムによれば、チャネル横断的に利用することができるＵＳＢメモリ１６を使用する振込システムを提供することができる。また、振込先のデータに分類を行なうための区分データを付与することにより、振込先が多数になっても振込先を整理することができ、振込処理の際の振込先選択の手間を低減することができる。
【００４９】
さらに、振込先毎に総振込金額を算出し、この算出された総振込金額を表示することができるので、振込先の振込状況を把握することができる。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の実施の形態に係る振込システムを説明するための図である。
【図２】本発明の実施の形態に係る振込システムを実現するコンピュータの説明をするための図である。
【図３】振込用データのデータ構造を示す図である。
【図４】振込先データの構造を示す図である。
【図５】区分データの構造を示す図である。
【図６】本発明の実施の形態に係る振込システムの動作について説明するためのフローチャートである。
【図７】本発明の実施の形態に係る振込システムの動作について説明するためのフローチャートである。
【図８】振込方法を選択するための画面の一例を示す図である。
【図９】区分を選択するための画面の一例を示す図である。
【図１０】振込先を選択するための画面の一例を示す図である。
【図１１】振込金額を入力するための画面の一例を示す図である。
【図１２】ＵＳＢメモリへの登録を指示するための画面の一例を示す図である。
【符号の説明】
【００５２】
１…インターネット、２…金融機関のホストコンピュータ、３…ＡＴＭ、４…コンピュータ、１１…バス、１２…ＣＰＵ、１３…メモリ、１４…表示部、１５…ＵＳＢ端子、１６…ＵＳＢメモリ、１７…通信部、１８…入力部、１９…ＨＤＤ，２０…振込処理プログラム、３１…振込先データ、３２…区分データ、３３…総振込金額データ、３４…払込確認データ。
【図１】
2005275928.tif 000003
【図２】
2005275928.tif 000004
【図３】
2005275928.tif 000005
【図４】
2005275928.tif 000006
【図５】
2005275928.tif 000007
【図６】
2005275928.tif 000008
【図７】
2005275928.tif 000009
【図８】
2005275928.tif 000010
【図９】
2005275928.tif 000011
【図１０】
2005275928.tif 000012
【図１１】
2005275928.tif 000013
【図１２】
2005275928.tif 000014